【手続補正書】
【提出日】平成27年12月8日(2015.12.8)
【手続補正１】
【補正対象書類名】明細書
【補正対象項目名】００４８
【補正方法】変更
【補正の内容】
【００４８】
実施例１
３部のキンヒドロン（Ａｌｄｒｉｃｈ  Ｃｈｅｍｉｃａｌ、ミルウォーキー、ＷＩ）を９７部のアセトン（Ａｌｄｒｉｃｈ  Ｃｈｅｍｉｃａｌ、ミルウォーキー、ＷＩ）に溶解させた。この溶液を、繊維質貯留部と流体連通したペン先を有するＳＨＡＲＰＩＥ（登録商標）マーカー（Ｓａｎｆｏｒｄ  ＬＰ、オークブルック、ＩＬ）に装填し、乾燥すると青みがかった黒色となる書き込みをした。書かれたものを約１００〜約１５０℃の温度に１５秒間にわたって供し、書かれたものの青みがかった黒色は実質的な無色へと変化した。書かれたものの最初の色は再生されなかった。この流体をカプセル封入することによって、本明細書で開示されるような不可逆サーモクロミック顔料カプセルを製造することもできる。
本発明は、一側面において以下の発明を包含する。
（発明１）
担体と前記担体に分散させたサーモクロミックカプセルとを含み、前記サーモクロミックカプセルがシェルとコアとを含み、前記コアが溶媒と前記溶媒に溶解させた昇華性染料とを含む、不可逆サーモクロミックインク組成物。
（発明２）
前記担体が、溶媒、樹脂又はこれらの混合物を含む、発明１に記載の不可逆サーモクロミックインク組成物。
（発明３）
前記担体が揮発性溶媒を含む、発明１〜２のいずれか一項に記載の不可逆サーモクロミックインク組成物。
（発明４）
前記担体溶媒が、約３００℃未満、約２５０℃未満、約４０〜約２５０℃及び／又は約５０〜約２２０℃の沸点を有する、発明１〜３のいずれか一項に記載の不可逆サーモクロミックインク組成物。
（発明５）
前記コア溶媒が揮発性溶媒を含む、発明１〜４のいずれか一項に記載の不可逆サーモクロミックインク組成物。
（発明６）
前記コア溶媒が、約３００℃未満、約２５０℃未満、約４０〜約２５０℃及び／又は約５０〜約２２０℃の沸点を有する、発明１〜５のいずれか一項に記載の不可逆サーモクロミックインク組成物。
（発明７）
前記昇華性染料が、約１２０〜約３００℃、約１３０〜約２２０℃、約１４０〜約２２０℃及び／又は約１２０〜約１７０℃の温度で昇華する染料を含む、発明１〜６のいずれか一項に記載の不可逆サーモクロミックインク組成物。
（発明８）
前記昇華性染料が、９０ｋＪ／モル未満、７５ｋＪ／モル未満及び／又は６０ｋＪ／モル未満の蒸発エンタルピーを有する染料を含む、発明１〜７のいずれか一項に記載の不可逆サーモクロミックインク組成物。
（発明９）
前記昇華性染料が、ニトロアリールアミン染料化合物、アゾ染料化合物、アントラキノン染料化合物及びこれらの組み合わせから成る群から選択される、発明１〜８のいずれか一項に記載の不可逆サーモクロミックインク組成物。
（発明１０）
前記シェルがポリマーを含む、発明１〜９のいずれか一項に記載の不可逆サーモクロミックインク組成物。
（発明１１）
殺生物剤、表面張力調節剤、相乗作用性樹脂、界面活性剤、湿潤剤、分散剤及びこれらの混合物から成る群から選択される少なくとも１種の添加剤を更に含む、発明１〜１０のいずれか一項に記載の不可逆サーモクロミックインク組成物。
（発明１２）
前記シェルが易壊性である、発明１〜１１のいずれか一項に記載の不可逆サーモクロミックインク組成物。
（発明１３）
サーモクロミックインク組成物の総重量を基準として、約２０〜約６０重量％、約３０〜約５０重量％及び／又は約３５〜約４５重量％の不可逆サーモクロミック顔料カプセルを含有する、発明１〜１２のいずれか一項に記載の不可逆サーモクロミックインク組成物。
（発明１４）
シェルとコアとを含み、前記コアが溶媒と前記溶媒に溶解させた昇華性染料とを含む、不可逆サーモクロミック顔料カプセル。
（発明１５）
前記コア溶媒が揮発性溶媒を含む、発明１４に記載の不可逆サーモクロミック顔料カプセル。
（発明１６）
前記コア溶媒が、約３００℃未満、約２５０℃未満、約４０〜約２５０℃及び／又は約５０〜約２２０℃の沸点を有する、発明１４及び１５のいずれか一項に記載の不可逆サーモクロミック顔料カプセル。
（発明１７）
前記昇華性染料が、約１２０〜約３００℃、約１３０〜約２２０℃、約１４０〜約２２０℃及び／又は約１２０〜約１７０℃の温度で昇華する染料を含む、発明１４〜１６のいずれか一項に記載の不可逆サーモクロミック顔料カプセル。
（発明１８）
前記昇華性染料が、９０ｋＪ／モル未満、７５ｋＪ／モル未満及び／又は６０ｋＪ／モル未満の蒸発エンタルピーを有する染料を含む、発明１４〜１７のいずれか一項に記載の不可逆サーモクロミック顔料カプセル。
（発明１９）
前記昇華性染料が、ニトロアリールアミン染料化合物、アゾ染料化合物、アントラキノン染料化合物及びこれらの組み合わせから成る群から選択される、発明１４〜１８のいずれか一項に記載の不可逆サーモクロミック顔料カプセル。
（発明２０）
前記シェルがポリマーを含む、発明１４〜１９のいずれか一項に記載の不可逆サーモクロミック顔料カプセル。
（発明２１）
前記シェルが易壊性である、発明１４〜２０のいずれか一項に記載の不可逆サーモクロミック顔料カプセル。
（発明２２）
溶媒と前記溶媒に溶解させた昇華性染料とを含む不可逆サーモクロミックインク組成物。
（発明２３）
前記インク組成物溶媒が揮発性溶媒を含む、発明２２に記載の不可逆サーモクロミックインク。
（発明２４）
前記溶媒に溶解又は分散させた樹脂を更に含む、発明２２及び２３のいずれか一項に記載の不可逆サーモクロミックインク組成物。
（発明２５）
前記インク組成物溶媒が、約３００℃未満、約２５０℃未満、約４０〜約２５０℃及び／又は約５０〜約２２０℃の沸点を有する、発明２２〜２４のいずれか一項に記載の不可逆サーモクロミックインク組成物。
（発明２６）
前記昇華性染料が、約１２０〜約３００℃、約１３０〜約２２０℃、約１４０〜約２２０℃及び／又は約１２０〜約１７０℃の温度で昇華する染料を含む、発明２２〜２５のいずれか一項に記載の不可逆サーモクロミックインク組成物。
（発明２７）
前記昇華性染料が、９０ｋＪ／モル未満、７５ｋＪ／モル未満及び／又は６０ｋＪ／モル未満の蒸発エンタルピーを有する染料を含む、発明２２〜２６のいずれか一項に記載の不可逆サーモクロミックインク組成物。
（発明２８）
前記昇華性染料が、ニトロアリールアミン染料化合物、アゾ染料化合物、アントラキノン染料化合物及びこれらの組み合わせから成る群から選択される、発明２２〜２７のいずれか一項に記載の不可逆サーモクロミックインク組成物。
（発明２９）
（ｉ）基体に、担体と前記担体に分散させた不可逆サーモクロミック顔料カプセルとを含む不可逆サーモクロミックインク組成物で書き込み、前記不可逆サーモクロミック顔料カプセルはシェルとコアとを含み、前記コアは溶媒と前記溶媒に溶解させた昇華性染料とを含み、前記書かれたものは前記基体上で複数の前記不可逆サーモクロミック顔料カプセルを含むコーティングとなり、
（ｉｉ）前記書かれたものに力指向性コンポーネントをあてて破れた不可逆サーモクロミック顔料カプセルを形成することで前記昇華性染料を昇華させ、前記書かれたものが変色する又は実質的に無色となることを含む、書かれたものを消去する方法。
（発明３０）
前記書かれたものに熱源をあてることを更に含む、発明２９に記載の方法。
（発明３１）
（ｉ）基体に、溶媒と前記溶媒に溶解させた昇華性染料とを含む不可逆サーモクロミックインクで書き込み、前記書かれたものは前記基体上で前記不可逆サーモクロミックインクを含むコーティングとなり、
（ｉｉ）前記昇華性染料を昇華させるのに十分な温度にまで前記書かれたものを加熱し、前記書かれたものが変色する又は実質的に無色となることを含む、書かれたものを消去する方法。
（発明３２）
前記書かれたものの加熱が、力指向性コンポーネントを前記書かれたものにあてる、熱源をあてる又はこれらの組み合わせを含む、発明３１に記載の方法。
（発明３３）
発明１〜１３及び発明２２〜２８のいずれか一項に記載の不可逆サーモクロミックインク組成物を収容する筆記具。
（発明３４）
前記筆記具が、ボールペン、万年筆及びマーカーから選択される、発明３３に記載の筆記具。